(57)【特許請求の範囲】
【請求項１】
枠体と前記枠体に対して開閉可能に配設した障子とを備え、
前記枠体の上枠は、上方上枠部及び下方上枠部を有し、前記障子によって仕切られる２つの空間の間を連通するように、前記上方上枠部及び前記下方上枠部の間に通気通路を構成した建具において、
前記上方上枠部及び前記下方上枠部のそれぞれは、前記空間の一方から前記空間の他方に至る部分が一体に成形されたものであり、
前記上方上枠部において前記空間の一方に位置する部分の下端及び前記下方上枠部において前記空間の一方に位置する部分の下端の少なくとも一方を、前記障子における上框の下端以下の高さに配置したことを特徴とする建具。
【請求項２】
前記上方上枠部において前記空間の一方に位置する部分の下端を、前記下方上枠部において前記空間の一方に位置する部分の下端以下の高さに配置したことを特徴とする請求項１に記載の建具。
【請求項３】
前記下方上枠部は、前記上框に対して見込み方向に並設した部分を含むことを特徴とする請求項１に記載の建具。
【請求項４】
前記通気通路は、前記上方上枠部及び前記下方上枠部の互いに傾斜する部分の間に構成され、前記空間の一方において下方に開口するとともに、当該開口から前記空間の他方に向けて漸次上方に傾斜する第１通路部分と、前記上方上枠部及び前記下方上枠部の互いに上下に対向する部分の間に構成され、前記第１通路部分の上端部から前記上框の上方となる部位まで延在する第２通路部分とを有し、
前記第２通路部分に前記通気通路を開閉する弁部材を配設したことを特徴とする請求項１に記載の建具。
【請求項５】
前記下方上枠部において前記第２通路部分を構成する部分は、前記空間の他方に向けて漸次下方に傾斜することを特徴とする請求項４に記載の建具。
【発明の詳細な説明】
【技術分野】
【０００１】
本発明は、建具に関するものである。
【背景技術】
【０００２】
例えば、脱衣室と浴室との間の出入口に設置される建具には、浴室の換気を行うために上枠に通気通路を設けるようにしたものがある。上枠は、外周側に位置する上方上枠部と内周側に位置する下方上枠部とを有しており、互いの間に通気通路が構成されている。この建具によれば、障子を閉めた状態であっても、通気通路を通じて浴室と脱衣室との間で換気を行うことが可能となる。
【先行技術文献】
【特許文献】
【０００３】
【特許文献１】特開２０１１−１４９２６８号公報
【発明の概要】
【発明が解決しようとする課題】
【０００４】
この種の建具では、浴室において上枠に対向する部分にカバー部材が配設されており、脱衣室から浴室に向けて進入する空気を下方に偏向させ、浴室の床面の乾燥を促進させるようにしている。このカバー部材は、上枠の通気通路を覆い隠す機能も兼ねており、浴室側からの外観品質が損なわれる事態を防止している。
【０００５】
しかしながら、脱衣室側においては、障子の上框よりも上方となる位置に下方上枠部、通気通路、上方上枠部といった複数の部材が露出された状態にあり、外観品質を考慮した場合、必ずしも好ましいとはいえない。なお、上述の課題は、２つの空間の間で通気を行う通気通路を備えた建具であれば、脱衣室と浴室との間に設置される建具に限らず生じ得るものである。
【０００６】
本発明は、上記実情に鑑みて、外観品質を損なうことなく障子によって仕切られた２つの空間の間で通気を行うことのできる建具を提供することを目的とする。
【課題を解決するための手段】
【０００７】
上記目的を達成するため、本発明に係る建具は、枠体と前記枠体に対して開閉可能に配設した障子とを備え、前記枠体の上枠は、上方上枠部及び下方上枠部を有し、前記障子によって仕切られる２つの空間の間を連通するように、前記上方上枠部及び前記下方上枠部の間に通気通路を構成した建具において、前記上方上枠部及び前記下方上枠部のそれぞれは、前記空間の一方から前記空間の他方に至る部分が一体に成形されたものであり、前記上方上枠部において前記空間の一方に位置する部分の下端及び前記下方上枠部において前記空間の一方に位置する部分の下端の少なくとも一方を、前記障子における上框の下端以下の高さに配置したことを特徴とする。
【０００８】
この発明によれば、空間の一方においては、上方上枠部の下端及び下方上枠部の下端の少なくとも一方によって障子の上框が覆い隠されることになり、外観品質が損なわれる事態を防止できる。
【０００９】
また本発明は、上述した建具において、前記上方上枠部において前記空間の一方に位置する部分の下端を、前記下方上枠部において前記空間の一方に位置する部分の下端以下の高さに配置したことを特徴とする。
【００１０】
この発明によれば、空間の一方においては、上方上枠部によって下方上枠部及び障子の上框が覆い隠されることになるため、つまり上方上枠部のみが露出する構成となるため、外観品質を向上させることができる。
【００１１】
また本発明は、上述した建具において、前記下方上枠部は、前記上框に対して見込み方向に並設した部分を含むことを特徴とする。
【００１２】
この発明によれば、上枠から上框までの見付け方向に沿った寸法を短縮化することができ、建具の上下方向に沿った寸法に対して面材の占める割合を増加させることができるようになる。
【００１３】
また本発明は、上述した建具において、前記通気通路は、前記上方上枠部及び前記下方上枠部の互いに傾斜する部分の間に構成され、前記空間の一方において下方に開口するとともに、当該開口から前記空間の他方に向けて漸次上方に傾斜する第１通路部分と、前記上方上枠部及び前記下方上枠部の互いに上下に対向する部分の間に構成され、前記第１通路部分の上端部から前記上框の上方となる部位まで延在する第２通路部分とを有し、前記第２通路部分に前記通気通路を開閉する弁部材を配設したことを特徴とする。
【００１４】
この発明によれば、第２通路部分に弁部材を配設しているため、必要時以外に通気通路を閉じることが可能である。
【００１５】
また本発明は、上述した建具において、前記下方上枠部において前記第２通路部分を構成する部分は、前記空間の他方に向けて漸次下方に傾斜することを特徴とする。
【００１６】
この発明によれば、通気通路に対して空間の他方から水が浸入した場合にも、空間の他方に排出することができ、空間の一方への水の浸入を防止することができる。
【発明の効果】
【００１７】
本発明によれば、空間の一方においては、上方上枠部の下端及び下方上枠部の下端の少なくとも一方によって障子の上框が覆い隠されることになり、外観品質が損なわれる事態を招来することなく、障子によって仕切られた２つの空間の間で通気を行うことが可能となる。
【図面の簡単な説明】
【００１８】
【図１】図１は、本発明の実施の形態である建具を浴室側から見た図である。
【図２】図２は、図１に示した建具の縦断面図である。
【図３】図３は、図１に示した建具の横断面図である。
【図４】図４は、図１に示した建具の要部拡大縦断面図である。
【図５】図５は、図１に示した建具において上枠と縦枠との接合部分を拡大して示す要部分解斜視図である。
【図６】図６は、図１に示した建具において上枠と縦枠との接合部分を拡大して示す要部分解斜視図である。
【発明を実施するための形態】
【００１９】
以下、添付図面を参照しながら本発明に係る建具の好適な実施の形態について詳細に説明する。
図１〜図３は、本発明の実施の形態である建具を示したものである。ここで例示する建具は、脱衣室（空間）と浴室（空間）との間の出入口に設置される浴室用ドアであり、枠体１０及び障子２０を備えている。枠体１０は、左右の縦枠１１，１２の上端部間に上枠１３を設けるとともに、縦枠１１，１２の下端部間に下枠１４を設けることによって矩形状に構成したものである。障子２０は、透明樹脂やガラス等の透光性を有した矩形状を成すパネル２１と、パネル２１の四周に装着した上框２２、下框２３及び左右の縦框２４，２５とを備えて構成したものである。枠体１０と同様、この障子２０においても、左右の縦框２４，２５の間に上框２２及び下框２３が取り付けてある。本実施の形態では、一方の縦框２５の上端部及び下端部と、上枠１３及び下枠１４との間に設けたピボットヒンジ３１，３２を介して障子２０が枠体１０に対して回転可能に支持してある。これにより、枠体１０に対して障子２０は、上下に沿ったヒンジ軸３１ａ，３２ａを中心として浴室側に突出するように開くことが可能である。
【００２０】
上枠１３、下枠１４、左右の縦枠１１，１２、上框２２、下框２３、左右の縦框２４，２５は、樹脂もしくはアルミニウム合金等の金属によって成形した押し出し形材であり、それぞれが長手方向の全長にわたってほぼ一様な断面形状を有するように構成してある。上枠１３、下枠１４及び左右の縦枠１１，１２は、互いに見込み方向に沿った寸法（以下、見込み寸法という）がほぼ同一であり、上框２２、下框２３及び左右の縦框２４，２５は、互いに見込み寸法がほぼ同一である。図からも明らかなように、本実施の形態では、枠１１，１２，１３，１４の見込み寸法に対して框２２，２３，２４，２５の見込み寸法が１／３程度となるようにそれぞれが構成してある。
【００２１】
以下、障子２０及び枠体１０についてそれぞれの構成を詳述し、併せて本発明の特徴部分について説明を行う。なお、本明細書で用いる「見込み方向」とは、図中の矢印Ａで示すように、建具の奥行きに沿った方向である。見込み方向に沿った面については、「見込み面」と称する場合がある。また、「見付け方向」とは、上枠１３及び下枠１４あるいは上框２２や下框２３等のように水平方向に沿って延在するものの場合、見込み方向に直交した上下に沿う方向である。縦枠１１，１２や縦框２４，２５等のように上下方向に沿って延在するものの場合には、見込み方向に直交した水平に沿う方向を「見付け方向」という。見付け方向に沿った面については、「見付け面」と称する場合がある。枠や框の長手とは、それぞれを押し出し成形する場合の押し出し方向に一致した方向である。
【００２２】
図２に示すように、障子２０の上框２２及び下框２３は、それぞれ略正方形の断面を有した中空状を成している。これに対して障子２０の縦框２４，２５は、図３に示すように、見込み寸法に対して見付け方向に沿った寸法（以下、見付け寸法という）が小さい略矩形の断面を有した中空状を成すように構成してある。本実施の形態では、見込み寸法に対してほぼ２／５程度の見付け寸法を有するように縦框２４，２５が構成してある。これら上框２２、下框２３及び左右の縦框２４，２５には、それぞれ見込み方向において浴室側に偏った位置に面材収容部２２ａ，２３ａ，２４ａ，２５ａが設けてある。面材収容部２２ａ，２３ａ，２４ａ，２５ａは、框２２，２３，２４，２５の内周側となる見込み面に開口した横断面が矩形状の凹部であり、パネル２１の縁部を収容した状態で挟持することのできる寸法に形成してある。本実施の形態では、パネル２１において浴室に臨む見付け面に支持ヒレ部２２ｃ，２３ｃ，２４ｃ，２５ｃのみが配置されるようにそれぞれの框に面材収容部２２ａ，２３ａ，２４ａ，２５ａが設けてある。図３中の符号２６は、パネル２１において戸先側となる部位の両面から突出するように設けた障子２０の取手である。
【００２３】
枠体１０の縦枠１１，１２は、基板部１１ａ，１２ａ、第１角筒部１１ｂ，１２ｂ及び第２角筒部１１ｃ，１２ｃを有したものである。基板部１１ａ，１２ａは、見込み方向に沿って延在したほぼ平板状を成す部分である。第１角筒部１１ｂ，１２ｂは、基板部１１ａ，１２ａの脱衣室側に位置する端部から内周側に突出したもので、基板部１１ａ，１２ａとの間に断面が略矩形の中空部分を構成している。第２角筒部１１ｃ，１２ｃは、基板部１１ａ，１２ａの浴室側に位置する端部から外周側に突出したもので、基板部１１ａ，１２ａとの間に断面が略矩形の中空部分を構成している。図からも明らかなように、第１角筒部１１ｂ，１２ｂは、見込み寸法及び見付け寸法がそれぞれ第２角筒部１１ｃ，１２ｃよりも大きく構成してある。第１角筒部１１ｂ，１２ｂの内周側に位置する見込み面の相互間隔は、縦框２４，２５の内周側に位置する見込み面の相互間隔よりもわずかに小さくなるように構成してある。また、第１角筒部１１ｂ，１２ｂの見付け寸法は、縦框２４，２５の見付け寸法よりも大きく構成してあり、第１角筒部１１ｂ，１２ｂの浴室に臨む見付け面から第２角筒部１１ｃ，１２ｃの浴室に臨む見付け面までの見込み寸法は、縦框２４，２５の見込み寸法よりも大きく構成してある。
【００２４】
上述の障子２０は、見込み方向においては、第１角筒部１１ｂ，１２ｂの浴室に臨む見付け面から第２角筒部１１ｃ，１２ｃの浴室に臨む見付け面までの間に収容されるように配置してある。左右方向においては、障子２０の縦框２４，２５がそれぞれ脱衣室側から見た場合に縦枠１１，１２の第１角筒部１１ｂ，１２ｂによって覆われるように配置してある。
【００２５】
枠体１０の下枠１４は、図２に示すように、水平延在部１４ａ及び傾斜延在部１４ｂを有したものである。水平延在部１４ａは、下枠１４において脱衣室側に位置する部分であり、見込み方向に沿ってほぼ水平に延在している。傾斜延在部１４ｂは、水平延在部１４ａの浴室側となる部分から浴室側に向けて漸次低くなるように傾斜した部分である。水平延在部１４ａと傾斜延在部１４ｂとの間には、下枠止水材１４ｃが配設してある。下枠止水材１４ｃは、障子２０の下框２３に対して脱衣室に臨む見付け面に当接することで浴室から脱衣室側への水の浸入を防止するもので、下枠１４に設けた装着溝１４ｄに装着してある。下枠１４の傾斜延在部１４ｂには、その上面に下方軸受部３２ｂが設けてある。下方軸受部３２ｂは、障子２０の縦框２５から下方に突出した下方ヒンジ軸３２ａを回転可能に支持するものである。下方ヒンジ軸３２ａ及び下方軸受部３２ｂは、上述したピボットヒンジ３２を構成するものである。なお、水平延在部１４ａの下面及び傾斜延在部１４ｂの下面には、それぞれ中空部１４ｅ，１４ｆが構成してある。図２からも明らかなように、水平延在部１４ａには、中空部１４ｅ，１４ｆよりも脱衣室側となる延在端部に固定ヒレ部１４ｇが設けてある。
【００２６】
枠体１０の上枠１３は、図２及び図４に示すように、互いに独立した上方上枠部１３Ａと下方上枠部１３Ｂとを備え、これら上方上枠部１３Ａと下方上枠部１３Ｂとの間に通気通路１３Ｃを確保した状態で左右の縦枠１１，１２の上端部間に取り付けてある。上方上枠部１３Ａは、縦枠１１，１２とほぼ同じ見込み寸法を有した部分であり、縦枠１１，１２の上端部に取り付けてある。本実施の形態では、第１見付けヒレ部１３Ａ１、第１傾斜ヒレ部１３Ａ２、第１水平ヒレ部１３Ａ３、第２傾斜ヒレ部１３Ａ４、第２水平ヒレ部１３Ａ５、第２見付けヒレ部１３Ａ６を有して上方上枠部１３Ａが構成してある。
【００２７】
第１見付けヒレ部１３Ａ１は、上方上枠部１３Ａにおいて最も脱衣室側に位置する部分であり、ほぼ鉛直となるように上下方向に沿って延在している。上方上枠部１３Ａは、この第１見付けヒレ部１３Ａ１の下端１３Ａ１ａの位置が障子２０において上框２２の下端２２ｂとほぼ同じ高さとなるように縦枠１１，１２に取り付けてある。第１傾斜ヒレ部１３Ａ２は、第１見付けヒレ部１３Ａ１の上端部から浴室側に向けてほぼ直角に屈曲した後、浴室側に向けて漸次上方となるように傾斜延在した部分である。第１傾斜ヒレ部１３Ａ２の上端部は、上方に向けて凸となるように湾曲している。第１水平ヒレ部１３Ａ３は、第１傾斜ヒレ部１３Ａ２の上端部から浴室側に向けてほぼ水平に延在した部分である。第１水平ヒレ部１３Ａ３の延在端部は、下枠１４に設けた装着溝１４ｄとほぼ同等の位置にある。
【００２８】
第１傾斜ヒレ部１３Ａ２と第１水平ヒレ部１３Ａ３との間には、ポケット部１３Ａ７が設けてある。ポケット部１３Ａ７は、上框２２よりも脱衣室側に位置する部位において上方上枠部１３Ａの長手に沿って形成した下方に開口する凹部であり、その内部に換気制御弁（弁部材）３０の基端軸部３０ａを回転可能に収容している。換気制御弁３０は、基端軸部３０ａを中心として回転することにより、通気通路１３Ｃを開閉するものである。
【００２９】
第２傾斜ヒレ部１３Ａ４は、第１水平ヒレ部１３Ａ３の延在端部から浴室側に向けてわずかに下方に傾斜した部分である。第２水平ヒレ部１３Ａ５は、第２傾斜ヒレ部１３Ａ４の延在端部から浴室側に向けてほぼ水平に延在した後、下方に向けて湾曲した部分である。第２見付けヒレ部１３Ａ６は、第２水平ヒレ部１３Ａ５の延在端部から上下に延在した部分である。第２見付けヒレ部１３Ａ６の上端部は、第１水平ヒレ部１３Ａ３を越えて上方に突出している。第２見付けヒレ部１３Ａ６の下端部は、第１見付けヒレ部１３Ａ１の上端よりも上方に位置する部分において終端となっている。なお、第１傾斜ヒレ部１３Ａ２の上面となる部分及び第２水平ヒレ部１３Ａ５から第２見付けヒレ部１３Ａ６にわたる部分には、それぞれ中空部１３Ａ８，１３Ａ９が構成してある。
【００３０】
下方上枠部１３Ｂは、上方上枠部１３Ａよりも見込み寸法の小さい異形の中空状を成すもので、上方上枠部１３Ａの下方において第１水平ヒレ部１３Ａ３、第１見付けヒレ部１３Ａ１及び第２見付けヒレ部１３Ａ６から離隔した位置に取り付けてある。本実施の形態では、下方底壁部１３Ｂ１、第１見付け壁部１３Ｂ２、傾斜壁部１３Ｂ３、突出壁部１３Ｂ４、第２見付け壁部１３Ｂ５、第３見付け壁部１３Ｂ６、上方底壁部１３Ｂ７を有して下方上枠部１３Ｂが構成してある。
【００３１】
下方底壁部１３Ｂ１は、見込み方向に沿ってほぼ水平に延在した部分である。下方上枠部１３Ｂは、この下方底壁部１３Ｂ１の下端１３Ｂ１ａの位置が障子２０において上框２２の下端２２ｂとほぼ同じ高さとなるように縦枠１１，１２に取り付けてある。第１見付け壁部１３Ｂ２は、下方底壁部１３Ｂ１において脱衣室側に位置する端部からほぼ鉛直となるように上方に延在している。傾斜壁部１３Ｂ３は、第１見付け壁部１３Ｂ２の上端部から浴室側に向けて漸次上方となるように傾斜延在した部分である。この傾斜壁部１３Ｂ３は、傾斜角度が第１傾斜ヒレ部１３Ａ２とほぼ同じとなるように構成してあり、上方上枠部１３Ａの第１傾斜ヒレ部１３Ａ２との間にほぼ均一となる隙間（第１通路部分）１３Ｃ１が確保してある。この隙間１３Ｃ１は、第１見付けヒレ部１３Ａ１と第１見付け壁部１３Ｂ２との間に構成される下端の開口１３Ｃ０から浴室側に向けて漸次上方に傾斜するように延在し、上框２２の上端よりもさらに上方に達している。突出壁部１３Ｂ４は、傾斜壁部１３Ｂ３の上端部から浴室側に向けてわずかに下方に傾斜して延在した後、鉛直下方に向けて屈曲した部分である。突出壁部１３Ｂ４の延在端部は、上方上枠部１３Ａの第２見付けヒレ部１３Ａ６に対向する高さにあり、かつ上方上枠部１３Ａにおいて第２傾斜ヒレ部１３Ａ４の延在端部と見込み方向においてほぼ同等となる位置にある。互いに上下に位置する突出壁部１３Ｂ４と、上方上枠部１３Ａの第１水平ヒレ部１３Ａ３、第２傾斜ヒレ部１３Ａ４との間には、それぞれ傾斜壁部１３Ｂ３と上方上枠部１３Ａの第１傾斜ヒレ部１３Ａ２との間の隙間１３Ｃ１とほぼ等しい隙間（第２通路部分）１３Ｃ２が確保してある。この隙間１３Ｃ２は、上框２２の上方となる部位まで延在しており、傾斜壁部１３Ｂ３と上方上枠部１３Ａの第１傾斜ヒレ部１３Ａ２との間の隙間１３Ｃ１に連通することによって、脱衣室と浴室との間を連通する通気通路１３Ｃを構成している。
【００３２】
傾斜壁部１３Ｂ３と突出壁部１３Ｂ４との間には、弁座部１３Ｂ８が設けてある。弁座部１３Ｂ８は、上方に突出した後に浴室側に向けて屈曲した部分である。この弁座部１３Ｂ８は、図２中の実線で示すように、上方上枠部１３Ａのポケット部１３Ａ７に設けた換気制御弁３０が自重によって垂下した場合に換気制御弁３０の先端部が浴室側から当接可能となる位置に設けてある。
【００３３】
第２見付け壁部１３Ｂ５は、図２及び図４に示すように、下方底壁部１３Ｂ１において浴室側の端部から障子２０の上框２２に対向するように上方に向けてほぼ鉛直に延在した部分である。第２見付け壁部１３Ｂ５の上端部において上框２２に対向する部分には、上枠止水材１３Ｂ９が配設してある。上枠止水材１３Ｂ９は、障子２０の上框２２において脱衣室に臨む見付け面に当接することで、浴室から脱衣室側への水の浸入を防止するもので、第２見付け壁部１３Ｂ５に設けた装着溝１３Ｂ１０に装着してある。第３見付け壁部１３Ｂ６は、第２見付け壁部１３Ｂ５に設けた装着溝１３Ｂ１０の上端となる部分から上方に向けてほぼ鉛直に延在した部分である。上方底壁部１３Ｂ７は、第３見付け壁部１３Ｂ６の上端部から脱衣室側に向けてほぼ水平に延在した後、鉛直上方に向けて屈曲することによって突出壁部１３Ｂ４の下面に連結している。この上方底壁部１３Ｂ７には、突出壁部１３Ｂ４との間に軸受取付部１３Ｂ１１が設けてある。軸受取付部１３Ｂ１１は、障子２０の縦框２５から上方に突出した上方ヒンジ軸３１ａを回転可能に支持する上方軸受部３１ｂを取り付けるためのものである。上方ヒンジ軸３１ａ及び上方軸受部３１ｂは、上述したピボットヒンジ３１を構成するものである。
【００３４】
図５及び図６は、縦枠１１，１２と上枠１３との接合部分を拡大して示したものである。図５に示すように、本実施の形態の建具では、縦枠１１，１２に設けた第１角筒部１１ｂ，１２ｂの上端部を切除し、その切断端面に下方上枠部１３Ｂを配置するようにしている。その後、下方上枠部１３Ｂの端部に連結ブロック１３Ｄを介して上方上枠部１３Ａを配置し、それぞれを縦枠１１，１２にネジで固定するようにしている。連結ブロック１３Ｄは、下方上枠部１３Ｂ及び上方上枠部１３Ａの位置決めを行うとともに、切除した第１角筒部１１ｂ，１２ｂの上端開口を覆い隠す機能を有したもので、例えば樹脂によって成形してある。
【００３５】
上記のように構成した建具は、上枠１３の上方上枠部１３Ａにおいて第１見付けヒレ部１３Ａ１の下端１３Ａ１ａが脱衣室の天井Ｃとほぼ同等の高さとなる状態で脱衣室と浴室との間に取り付けられる。下枠１４については、水平延在部１４ａの固定ヒレ部１４ｇを直接脱衣室の床面Ｆに当接し、固定ヒレ部１４ｇを介して床面Ｆにネジを螺合することによって取り付けてある。固定ヒレ部１４ｇを介して脱衣室の床面Ｆに取り付けた下枠１４によれば、脱衣室の床面Ｆとの段差が固定ヒレ部１４ｇの板厚のみとなり、しかも下枠１４自体も上面に大きな段差がないことからバリアフリーの点で有利となる。
【００３６】
また、上述したように、この建具によれば、上枠１３の上方上枠部１３Ａと下方上枠部１３Ｂとの間に通気通路１３Ｃが構成してある。従って、障子２０を閉めた状態においても、例えば浴室内の換気扇を動作させれば、換気制御弁３０が開くことにより、通気通路１３Ｃを介して脱衣室の空気が浴室に送給されることになり、浴室の換気を行うことができる。しかも、上方に向けて傾斜する隙間１３Ｃ１の最上端となる位置に換気制御弁３０を配設しているため、脱衣室側の開口１３Ｃ０から容易に視認されることはなく、外観品質が損なわれるおそれもない。また、通気通路１３Ｃにおいて浴室側の隙間１３Ｃ２を構成する下方上枠部１３Ｂの突出壁部１３Ｂ４は、その上面が浴室に向けて漸次低くなるように傾斜している。さらに、換気制御弁３０は、隙間１３Ｃ２において上框２２よりも脱衣室側となる部位に配設してある。従って、浴室側から通気通路１３Ｃに水が掛かったとしても、その水が直ちに換気制御弁３０を通過したり、脱衣室側に浸入するおそれはなく、突出壁部１３Ｂ４の傾斜によって浴室側に排出されることになる。
【００３７】
ここで、この建具では、上方上枠部１３Ａにおいて脱衣室側で最も下方に配置される第１見付けヒレ部１３Ａ１の下端１３Ａ１ａ及び下方上枠部１３Ｂにおいて脱衣室側で最も下方に配置される下方底壁部１３Ｂ１の下端１３Ｂ１ａが、それぞれ障子２０における上框２２の下端２２ｂとほぼ同じ高さとなるように設定してある。従って、この建具によれば、脱衣室から見た場合、障子２０の上框２２が上方上枠部１３Ａ及び下方上枠部１３Ｂによって覆い隠され、視認することが困難となる。しかも、上述したように、脱衣室の天井Ｃに対して第１見付けヒレ部１３Ａ１の下端１３Ａ１ａがほぼ同等の高さとなるように枠体１０を取り付けるようにしている。従って、脱衣室からは、第１見付けヒレ部１３Ａ１がごくわずか視認できる程度となり、上枠１３の上方上枠部１３Ａや下方上枠部１３Ｂを視認することも困難となる。これらの結果、複数の部材が露出された従来の建具に比べて、非常にスッキリした外観となり、外観品質上、きわめて有利となる。
【００３８】
さらに、上述の建具では、上方上枠部１３Ａの第１見付けヒレ部１３Ａ１及び下方上枠部１３Ｂの下方底壁部１３Ｂ１、第１見付け壁部１３Ｂ２、傾斜壁部１３Ｂ３、第２見付け壁部１３Ｂ５がそれぞれ障子２０の上框２２と並設されるように構成してあるため、上枠１３の見付け寸法を抑えることができ、例えば設置場所の制限が少なくなる等の利点がある。
【００３９】
なお、上述した実施の形態では、脱衣室と浴室との間の出入口に設置される浴室用ドアを例示しているが、本発明はこれに限定されない。また、ピボットヒンジ３１，３２によって障子２０を枠体１０に回転可能に支持させるようにしているが、障子２０をスライド可能に配設した引戸に適用することも可能であり、障子２０の開閉は回転に限らない。さらに、上方上枠部１３Ａ及び下方上枠部１３Ｂとして独立して構成したものを例示しているが、一体に成形した上方上枠部及び下方上枠部を適用しても良い。
【００４０】
また、上述した実施の形態では、上方上枠部１３Ａにおける第１見付けヒレ部１３Ａ１の下端１３Ａ１ａと、下方上枠部１３Ｂにおける下方底壁部１３Ｂ１の下端１３Ｂ１ａとを上框２２の下端２２ｂと同じ高さとなるように構成しているが、上方上枠部の下端及び下方上枠部の下端の少なくとも一方が上框２２の下端２２ｂ以下の高さに配置されていれば良い。この場合、上方上枠部において空間の一方に位置する部分の下端を、下方上枠部において空間の一方に位置する部分の下端以下の高さに配置すれば、上方上枠部のみが露出する構成となるため、外観品質をより一層向上させることができる。
【００４１】
またさらに、上述した実施の形態では、見込み方向において障子２０の縦框２４，２５を縦枠１１，１２に設けた第１角筒部１１ｂ，１２ｂと並設するようにしているため、脱衣室側から見た場合に縦框２４，２５を覆い隠すことができ、建具の外観をさらにスッキリさせることができるが、本発明はこれに限定されない。
【符号の説明】
【００４２】
１０  枠体、１３  上枠、１３Ａ  上方上枠部、１３Ａ１  第１見付けヒレ部、１３Ａ１ａ  下端、１３Ａ２  第１傾斜ヒレ部、１３Ａ３  第１水平ヒレ部、１３Ａ４  第２傾斜ヒレ部、１３Ａ７  ポケット部、１３Ｂ  下方上枠部、１３Ｂ１  下方底壁部、１３Ｂ１ａ  下端、１３Ｂ２  第１見付け壁部、１３Ｂ３  傾斜壁部、１３Ｂ４  突出壁部、１３Ｂ５  第２見付け壁部、１３Ｃ  通気通路、１３Ｃ０  通気通路の開口、１３Ｃ１  隙間、１３Ｃ２  隙間、２０  障子、２２  上框、２２ｂ  下端、３０  換気制御弁
【図１】
0006595950.tif 000002
【図２】
0006595950.tif 000003
【図３】
0006595950.tif 000004
【図４】
0006595950.tif 000005
【図５】
0006595950.tif 000006
【図６】
0006595950.tif 000007